(57)【要約】      （修正有）【課題】ＴＰＯ、ファッションスタイルの好み、性別の観点等を含め、より確実に鍵を携行させることができる鍵収容ストラップを提供する。【解決手段】鍵収容ストラップ１は、内部に鍵収容室を有するストラップ本体部３と、鍵収容室の出し入れ口１１を覆う蓋部５と、接続用部材７とを備える。蓋部は、鍵１３の出し入れ方向に延びる第１部分５ａ及び第２部分５ｂと、それら部分を、一方が他方に対して回転可能に接続する折り返し部５ｃとを備える。出し入れ口と折り返し部との間には、鍵基部１３ａが露出して配置される余剰スペースが確保されている。【選択図】図３
0003142614.tif 000002
【実用新案登録請求の範囲】
【請求項１】
内部に鍵収容室を有するストラップ本体部と、
前記鍵収容室の出し入れ口を覆う蓋部と、
接続用部材と
を備えた鍵収容ストラップ。
【請求項２】
前記蓋部は、
鍵の出し入れ方向に延びる第１部分及び第２部分と、
それら第１部分及び第２部分を、一方が他方に対して回転可能に接続する折り返し部とを備え、
前記出し入れ口と前記折り返し部との間には、鍵基部が露出して配置される余剰スペースが確保されている
請求項１に記載の鍵収容ストラップ。
【請求項３】
一対のシート状部材を貼り合わせて構成され、
第１シート状部材は、第２シート状部材よりも長尺であり、
前記ストラップ本体部は、前記第１シート状部材の一部と、前記第２シート状部材とから構成されており、
前記出し入れ口は、前記第２シート状部材の端縁で画定されており、
前記蓋部は、前記第１シート状部材の残部で構成されている
請求項２に記載の鍵収容ストラップ。
【請求項４】
前記一対のシート状部材は同幅である
請求項３に記載の鍵収容ストラップ。
【請求項５】
前記接続用部材の一端側は、前記ストラップ本体部に接続されている
請求項１乃至４の何れか一項に記載の鍵収容ストラップ。
【請求項６】
携帯電話ストラップである
請求項１乃至５の何れか一項に記載の鍵収容ストラップ。
【考案の詳細な説明】
【技術分野】
【０００１】
本考案は、鍵収容ストラップに関するものである。
【背景技術】
【０００２】
自動車の所有者においては、鍵を車内に残したままドアをロックさせてしまう、いわゆるインロックを経験したものも少なくないだろう。また、自動車は勿論、建造物、鞄などを含め、鍵による開閉部を有する対象に関し、施錠したままその鍵を紛失し、開閉部を解錠できなくなる事故も少なくない。
【０００３】
通常、鍵式ロック機構に対しては、鍵が一本だけ存在することは少なく、少なくとも二本または三本の鍵が用意され、いわゆるメインキーとスペアキーとが用意され、スペアキーは意図しないアクシデントに備えて保管されることが多い。しかしながら、スペアキーの保管場所から遠く離れた場所で、メインキーを内部に残してインロックさせたり、メインキーを紛失したりしてしまった場合、スペアキーを内部に残してメインキーを紛失してしまった場合、あるいは、メインキー及びスペアキーの両方を内部に残してインロックさせてしまった場合等には、スペアキーの存在が意味をなさなくなる。
【０００４】
一方、従来、スペアキーの携帯を促すものとしては、特許文献１に開示されたスペアキー保管箱が存在する。この保管箱は、ベルトのバックルとして機能するものである。しかしながら、かかる保管箱では、ＴＰＯに合わせた服装や個々人のファッションスタイルの好みの観点で、必ずしも常時、ベルトのバックルとして携帯できるものではない。特に、女性の場合は、バックル付きベルトの使用頻度は決して高くはなく、必要なときに必ずしもスペアキーを使用できるとは限らない。
【特許文献１】特開平８−１００２７号公報
【考案の開示】
【考案が解決しようとする課題】
【０００５】
本考案は、上記のような事情に鑑みてなされたものであり、ＴＰＯ、ファッションスタイルの好み、性別の観点等を含め、より確実に鍵を携行させることができる鍵携帯用具を提供することを目的とする。
【課題を解決するための手段】
【０００６】
上述した課題を解決するため、本考案に係る鍵収容ストラップは、内部に鍵収容室を有するストラップ本体部と、前記鍵収容室の出し入れ口を覆う蓋部と、接続用部材とを備える。
【０００７】
前記蓋部は、鍵の出し入れ方向に延びる第１部分及び第２部分と、それら第１部分及び第２部分を、一方が他方に対して回転可能に接続する折り返し部とを備え、前記出し入れ口と前記折り返し部との間には、鍵基部が露出して配置される余剰スペースが確保されているようにしてもよい。
【０００８】
一対のシート状部材を貼り合わせて構成され、第１シート状部材は、第２シート状部材よりも長尺であり、前記ストラップ本体部は、前記第１シート状部材の一部と、前記第２シート状部材とから構成されており、前記出し入れ口は、前記第２シート状部材の端縁で画定されており、前記蓋部は、前記第１シート状部材の残部で構成されているようにしてもよい。
【０００９】
前記一対のシート状部材は同幅であるようにしてもよい。
【００１０】
前記接続用部材の一端側は、前記ストラップ本体部に接続されているようにしてもよい。
【００１１】
また、鍵収容ストラップは、携帯電話ストラップとして構成することができる。
【考案の効果】
【００１２】
上述した本考案によれば、ＴＰＯ、ファッションスタイルの好み、性別の観点等を含め、より確実に鍵を携行させることができる。
【００１３】
なお、本考案の他の特徴及びそれによる作用効果は、添付図面を参照し、実施の形態によって更に詳しく説明する。
【考案を実施するための最良の形態】
【００１４】
以下、本考案に係る鍵収容ストラップを携帯電話ストラップ（鍵収容携帯電話ストラップ）の実施の形態を添付図面に基づいて説明する。なお、図中、同一符号は同一又は対応部分を示すものとする。
【００１５】
図１及び図２はそれぞれ、本実施の形態に係る鍵収容ストラップの閉じた状態の斜視図及び側面図である。また、図３は、本実施の形態に係る鍵収容ストラップの開いた状態の斜視図である。本明細書及び実用新案登録請求の範囲においては、図２の図示状態を基準に、図２の紙面表裏方向を幅方向Ｗとし、同紙面左右方向を長さ方向Ｌとし、同紙面上下方向を厚み方向Ｔとして記述する。また、長さ方向Ｌは、鍵の出し入れ方向でもある。
【００１６】
鍵収容ストラップ１は、ストラップ本体部３と、蓋部５と、接続用部材７とを備えている。ストラップ本体部３は、その内部に、鍵収容室９を有している。蓋部５は、鍵収容室９の出し入れ口１１を覆っている。
【００１７】
蓋部５は、第１部分５ａと、第２部分５ｂと、折り返し部５ｃとを備えている。第１部分５ａ及び第２部分５ｂは、鍵の出し入れ方向すなわち長さ方向Ｌに延びている。折り返し部５ｃは、それら第１部分５ａ及び第２部分５ｂを、一方が他方に対して回転可能に接続する。図示例では、折り返し部５ｃにおいて、第２部分５ｂが第１部分５ａに幅方向Ｗに沿った概念的な回転軸回りに回転可能に接続されている。
【００１８】
また、折り返し部５ｃは、第１部分５ａの存在によって、出し入れ口１１から大きく離隔されている。それによって、出し入れ口１１と折り返し部５ｃとの間には、鍵１３を鍵収容室９に挿入した際に鍵基部１３ａが露出して配置される余剰スペース１５が確保される。余剰スペース１５は、幅方向Ｗの左右両側が開放されている。
【００１９】
次に、本実施の形態に係る鍵収容ストラップにおける、製造上の特徴に起因した構造について説明する。鍵収容ストラップ１は、図２から諒解されるように、一対の革製のシート部材、第１シート状部材１７及び第２シート状部材１９をその厚さ方向に積層・貼り合わせて製造されている。その貼り合わせ態様としては縫製が採用されている。
【００２０】
また、第１シート状部材１７は、第２シート状部材１９よりも長さ方向Ｌに関し長尺となっている。そして、積層の態様としては、第１シート状部材１７の一方側の端縁１７ａを、第２シート状部材１９の一方側の端縁１９ａと一致させるようにして、第２シート状部材１９の他方側の端縁１９ｂを除く第２シート状部材１９の周縁が、対面する第１シート状部材１７に対して、縫い合わせられている。前述した鍵収容室９は、この縫い合わせ部分の内側であって第１シート状部材１７の上面と第２シート状部材１９の下面とに挟まれる部分に形成される。
【００２１】
第２シート状部材１９の他方側の端縁１９ｂは、第１シート状部材１７のほうが長尺であるが故、第１シート状部材１７の中間の部分に位置しており、第１シート状部材１７に対しては縫い合わされていないことで、出し入れ口１１を画定している。第１シート状部材１７の他方側の端縁１７ｂは、閉じた状態において、折り返し部５ｃの存在により、第２シート状部材１９の上方に配置される。すなわち、第１シート状部材１７の他方側の端縁１７ｂは、第１シート状部材１７の中間の部分との間で、第２シート状部材１９を挟むようになっている。
【００２２】
前述したストラップ本体部３及び蓋部５との関係では、ストラップ本体部３は、第１シート状部材１７の一部と、第２シート状部材１９とから構成されている。蓋部５は、第１シート状部材１７の残部で構成されている。
【００２３】
また、一対の第１シート状部材１７及び第２シート状部材１９は、同幅であり、よって、換言するならばストラップ本体部３及び蓋部５も同幅に構成されている。
【００２４】
第１シート状部材１７の他方側の端縁１７ｂの近傍（蓋部５の第２部分５ｂの先端）は、第２シート状部材１９の他方側の端縁１９ｂの近傍に対して、スナップボタン２１によって、開閉自在に留められる。
【００２５】
接続用部材７は、ストラップ本体部３及び蓋部５を、接続対象につなぐためのものである。本実施の形態では、既存の携帯電話ストラップの環状の紐部分と同様である。接続用部材７の一端側は、蓋部５ではなくストラップ本体部３のほうに接続されている。接続用部材７の他端側は、図示省略する携帯電話ボディの所定部に接続される。
【００２６】
以上のように構成された本実施の形態に係る鍵収容携帯電話ストラップにおいては、スナップボタン２１を外して蓋部５を図３のように開けることによって、鍵１３をストラップ本体部３内の鍵収容室９にさし込むことができる。そして、鍵１３を挿入した状態で蓋部５を閉じることで、通常の携帯電話ストラップと変わらないような外見を作り出すことができる。これによって、常に携帯電話と一緒に鍵１３を携行することができる。
【００２７】
このような鍵収容携帯電話ストラップによれば次のような利点がある。
Ａ）今やほぼ一人一台の割合で普及している携帯電話においては、そのほとんど全てがストラップを付けられて使用されているのが現状である。
Ｂ）また、携帯電話は、その全体が携帯者の鞄やポケットに収納することが可能であり、そのように収納している状態にある限り他の者から視認されることもない。
Ｃ）さらに、携帯電話は、その機能上、利用者の身の回りの物品のなかでも常時携帯される可能性が極めて高い一品でもある。
以上より、本実施の形態に係る鍵収容携帯電話ストラップによれば、ＴＰＯ、ファッションスタイルの好み、性別に影響されることなく、より確実に鍵を携行させることが可能となっている。よって、自動車、建造物、鞄等のスペアキーを収納しておけば、インロックや紛失のアクシデントに備えることができる。また、好みによっては、建造物、鞄等のメインキーを収納して使用しても良い。
【００２８】
また、本実施の形態に係る鍵収容ストラップ１は、シート状部材を貼り合わせて構成され且つ閉じた状態でその全体が同幅であるため、すなわち、一本の帯状に見えるため、既存のシンプルな携帯電話ストラップに外観が近い。そのため、いかにも物品の収納ケースであるかのような大袈裟な外観に抵抗を覚える利用者にとっても、抵抗感なく利用できるメリットがある。その一方で、デザインの簡素化を過度に意識し、蓋部のない形態では、誤って鍵が落下する恐れある。さらに、封筒状のように蓋の折り返し部が出し入れ口を画定しているような形態では、鍵全部が鍵収容室内に埋もれてしまい、鍵の取り出しが困難となる。これに対して、本実施の形態であれば、出し入れ口１１は、第１部分５ａ及び折り返し部５ｃを備えた蓋部５によって余剰スペース１５が確保されるような態様で覆われているため、誤って鍵が落下することや鍵の取り出しが困難となるとこが防止されている。さらに、余剰スペース１５の両側が開放されていることで、鍵基部１３ａの大きな鍵１３にも対応することができる。
【００２９】
また、本実施の形態に係る鍵収容ストラップ１は、一対のシート状部材を貼り合わせるだけで、上述した作用をもたらす鍵収容室９、蓋部５、余剰スペース１５を得ることができる。
【００３０】
さらに、鍵収容ストラップ１は、上記の作用効果を得るべく蓋部５を具備しているが、接続用部材７は蓋部５ではなくストラップ本体部３に設けられている。よって、使用中、接続用部材７に作用する張力によって誤って蓋部５が開いてしまうことを防止することが可能となっている。
【００３１】
以上、好ましい実施の形態を参照して本考案の内容を具体的に説明したが、本考案の基本的技術思想及び教示に基づいて、当業者であれば、種々の改変態様を採り得ることは自明である。
【００３２】
まず、本考案に係る鍵収容ストラップは、携帯電話ストラップに限定されるものではなく、電子機器、カメラ、鞄、財布等の様々な携行品に適用することができる。
【００３３】
また、本考案に係る鍵収容ストラップは、革製であったが、素材としてはこれに限定されるものではなく、例えば、布、化学繊維、プラスチックなど他の素材を用いて製作することもできる。
【００３４】
また、上記の例では、一対のシート部材は、縫製による接合であったが、本考案はこれに限定されるものではなく、例えば、接着剤による接合など他の接合態様を用いることも可能である。
【００３５】
また、上述した鍵収容ストラップは、一対のシート部材を貼り合わせ、結果的にストラップ本体部と蓋部とが構成される態様であったが、本考案はこれに限定されるものではなく、相互に別体として、袋状のストラップ本体部と、帯状の蓋部とを予め構成し、ストラップ本体部における鍵収容室の出し入れ口近傍に、蓋部を接合して、上述した鍵収容ストラップのような形状を得る態様でもよい。
【００３６】
上述した鍵収容ストラップにおける接続用部材は、環状の形態を有していたが、本考案はこれに限定されるものではなく、例えば、端部がフリーな線状の形態であってもよい。
【図面の簡単な説明】
【００３７】
【図１】本考案の実施の形態に係る鍵収容ストラップの閉じた状態の斜視図である。
【図２】図１の鍵収容ストラップの閉じた状態の側面図である。
【図３】図１の鍵収容ストラップの開いた状態の斜視図である。
【符号の説明】
【００３８】
１                      鍵収容ストラップ
３                      ストラップ本体部
５                      蓋部
５ａ                    第１部分
５ｂ                    第２部分
５ｃ                    折り返し部
７                      接続用部材
９                      鍵収容室
１１                    出し入れ口
１３                    鍵
１３ａ                  鍵基部
１５                    余剰スペース
１７                    第１シート状部材
１９                    第２シート状部材
１９ｂ                  端縁
【図１】
0003142614.tif 000003
【図２】
0003142614.tif 000004
【図３】
0003142614.tif 000005